(57)【要約】  【課題】地盤の良し悪しを判別して良好な地盤のみに適用でき、またアンカー作用が確実で簡易なアンカーを実現する。  【解決手段】１対の金属棒を互いに平行に備えたアンカーの一端は、末広がり方向に傾斜しており、他端は連結手段になっていて、中間で互いに一体化してあるので、地中に打ち込んだ際に、前記傾斜面の受ける抵抗力で前記金属棒を徐々に開かせることで、アンカー作用を発揮可能となる。従って、この抵抗力が前記金属棒を曲げて開かせるまで増大すると、それ以上は打ち込みが困難となるので、地盤がしっかりしていると判断できる。なお、１本の金属棒を約１８０度に折って、折り曲げ部をリング状の連結手段とすることで、リング状の耳穴にワイヤーやロープなどを挿通でき、連結が容易になる。【選択図】図３
2014201946.tif 000002
【特許請求の範囲】
【請求項１】
少なくとも１対の金属棒を互いに平行に備えており、その一端は、末広がり方向の傾斜面を有しており、他端は連結手段になっていること、中間で互いに溶接したりして一体化してあることを特徴とするアンカー。
【請求項２】
１本の金属棒を約１８０度に折って、折り曲げ部をリング状の連結手段とし、前記金属棒自体を斜めに形成するか又は別体の爪板片を取付けることで前記傾斜を形成してあることを特徴とする請求項１に記載のアンカー。
【請求項３】
前記金属棒の一端を圧延加工して面積を拡げると共に傾斜させてあることを特徴とする請求項１に記載のアンカー。
【請求項４】
少なくとも１対の金属棒を互いに平行に備えており、その一端は、末広がり方向に傾斜しており、他端は連結手段になっていて、中間で互いに一体化してあるアンカーを地中に打ち込んだ際に前記傾斜の面の受ける抵抗力で前記金属棒が徐々に開かれることを特徴とするアンカー固定方法。
【発明の詳細な説明】
【技術分野】
【０００１】
本発明は、アンカーを固定できるか地盤の硬軟を検知した上で、打ち込み可能かを判断できるアンカーに関する。
【背景技術】
【０００２】
杭などを地中に打ち込んで固定に用いるようなアンカーは、特許文献１のように、多数の返し手段を棒状本体に形成したアンカーが開示されているが、構造が複雑で製造が煩雑となり、また地盤の強さを検知できず、抜けやすいなどの問題がある。
特許文献２のように、木の根状に湾曲状態に貫入される引張材を複数本設けたアンカーも提案されているが、地盤の強さを検知できないので、アンカーを深くできないことと相まって、複数本の引張材を木の根状に湾曲状態に貫入させるための案内筒が必要で構造が複雑である。
【先行技術文献】
【特許文献】
【０００３】
【特許文献１】特開2003−138560
【０００４】
【特許文献２】特開昭62−202116
【発明の概要】
【発明が解決しようとする課題】
【０００５】
このように、従来の技術は、地盤の硬軟を考慮せずにアンカーを打ち込むので、地盤が軟弱な場合は固定力に不安がある。また、構造が複雑なため、製造コストが高く、簡易な施設には適用困難である。
本発明の技術的課題は、このような問題に着目し、地盤の良し悪しを検知して良好な地盤のみに適用でき、またアンカー作用が確実で簡易なアンカーを実現することにある。
【課題を解決するための手段】
【０００６】
請求項１は、少なくとも１対の金属棒を互いに平行に備えており、その一端は、末広がり方向の傾斜面を有しており、他端は連結手段になっていること、中間で互いに溶接などの手段で一体化してあることを特徴とするアンカーである。
【０００７】
請求項２は、１本の金属棒を約１８０度に折って、折り曲げ部をリング状の連結手段とし、前記金属棒自体を斜めに形成するか又は別体の爪板片を取付けることで前記傾斜を形成してあることを特徴とする請求項１に記載のアンカーである。
【０００８】
請求項３は、前記金属棒の一端を圧延加工して面積を拡げると共に傾斜させてあることを特徴とする請求項１に記載のアンカーである。
【０００９】
請求項４は、少なくとも１対の金属棒を互いに平行に備えており、その一端は、末広がり方向に傾斜しており、他端は連結手段になっていて、中間で互いに一体化してあるアンカーを地中に打ち込んだ際に前記傾斜の面の受ける抵抗力で前記金属棒が徐々に開かれることを特徴とするアンカー固定方法である。
【発明の効果】
【００１０】
請求項１のように、少なくとも１対の金属棒を互いに平行に備えたアンカーの一端は、末広がり方向の傾斜面を有しており、他端は連結手段になっていて、中間で互いに一体化してあるので、地中に打ち込んだ際に、前記傾斜面の受ける抵抗力で前記金属棒を徐々に開かせることで、アンカー作用を発揮可能となる。従って、この抵抗力が前記金属棒を曲げて開かせるまで増大すると、それ以上は打ち込みが困難となるので、地盤がしっかりしていて、引き抜き強度も十分と判断する。
【００１１】
請求項２のように、１本の金属棒を約１８０度に折って、折り曲げ部をリング状の連結手段とすることで、リング状の耳穴にワイヤーやロープなどを挿通でき、連結が容易になる。また、前記金属棒自体を斜めに形成すると、前記傾斜部の面積が前記金属棒の太さに制限されるので、地盤の硬い地域には適しているが、別体の爪板片を取付けることで前記傾斜を形成してある場合は、前記爪板片の面積を前記金属棒自体を斜めに形成する場合より大きくできるので、軟らかい地盤でも適用できる。
【００１２】
請求項３のように、前記金属棒の一端を圧延加工して面積を拡げると共に傾斜させることで、前記傾斜を形成してあるので、前記金属棒が地中で開いて曲げられることに加えて、圧延加工部が前記金属棒よりもはみ出す領域が抜け防止として作用し、アンカー力が増大する。
【００１３】
請求項４のように、少なくとも１対の金属棒を互いに平行に備えており、その一端は、末広がり方向に傾斜しており、他端は連結手段になっていて、中間で互いに一体化してあるアンカーを地中に打ち込んだ際に前記傾斜面の受ける抵抗力で前記金属棒が徐々に開かれてアンカーとなる。従って、前記抵抗力が増大し、前記金属棒を湾曲させて開かせることで、それ以上は打ち込み困難となるので、地盤が良いと判断して、引き抜き強度も十分あると判別できる。
【図面の簡単な説明】
【００１４】
【図１】本発明によるアンカーの基本構成を示す側面図である。
【図２】軟弱な地中に図１のアンカーを打ち込んだ際の側面図である。
【図３】地盤の硬い地中に図１のアンカーを打ち込んだ際の変化を示す側面図である。
【図４】別体の爪板片を金属棒の斜面に取付けた側面図と断面図である。
【図５】金属棒の下端を圧延加工した正面図と側面図である。
【発明を実施するための形態】
【００１５】
次に本発明によるアンカーが実際上どのように具体化されるか実施形態を説明する。図１は、本発明によるアンカーの基本構成を示す側面図であり、連結手段が耳状のリングの場合である。例えば鉄筋などの金属棒を１８０度折り曲げてリング状Ｒの耳穴を形成すると、他は１対の金属棒１、２となる。この金属棒１、２の部分は、互いに平行になっており、しかも溶接３などで互いに接合して一体化してある。
また、一端すなわち下端１１、２１は、末広がり方向に傾斜して、１対の金属棒１、２が互いに離間する方向を向いており、また他端が前記のリング状Ｒの耳穴になっており、連結手段として作用する。
【００１６】
図２は、このアンカーを地中に打ち込む際の変化を示した側面図であり、地盤Ｅ１が軟弱な場合は、アンカーの金属棒１、２の部分に変化は無く、そのまま、地中Ｅ１に軽い力で打ち込まれていく。従って、容易に抜くことができ、アンカーとしては機能しない。
逆に、図３のように、地盤Ｅ２が硬い場合は、最初はそのまま打ち込まれても、次第に鎖線で示すように開脚していき、さらに打ち込むと、最終的には実線で示すように溶接部３以下が開いて抜け難くなり、良好なアンカーとして機能する。このように、打ち込み不可能になるまで打ち込むと、硬い良好な地盤と判断できる。
【００１７】
つまり、アンカーを打ち込んだ際に下端の斜面１１、２１の地中から受ける力が小さく、金属棒１、２を曲げて開かせるだけの強さがない限り、下端は閉じたままである。ところが、地盤がしっかりしていて、打ち込んだ際に、下端の斜面１１、２１が地中Ｅ２から受ける抵抗力が増大すると、鎖線のように金属棒１、２は溶接部３より下側が自然と湾曲して開脚していき、さらに打ち込むと、最終的には実線で示すように開き、アンカーとして作用する。
【００１８】
図１〜図３は、金属棒１、２自体を斜めに形成するので、地中から抵抗を受ける面は、金属棒１、２の太さで決まるが、図４のように、別体の爪板片４、５を斜面１１、２１に取付けることで、前記傾斜が広くなる。そのため、金属棒１、２の湾曲力が強くなり、金属棒１、２を容易に湾曲できる。
別体の爪板片４、５を取付けるので、爪板片４、５の形状を容易に設定でき、三角形にしたり先端を尖らせたりできる。その結果、金属棒１、２からはみ出した領域は、金属棒１、２の抜け止めとなり、アンカー力が向上する。
なお、１本の金属棒を折り曲げるのでなく、金属棒１、２を別体とし、連結部において片方の金属棒１の上端は左側にフック状に折り曲げ、他方の金属棒２の上端は反対に右側にフック状に折り曲げると、ワイヤーやロープなどの連結や取り外しが容易である。金属棒１、２を地表上に伸ばして、建造物の支柱と一緒に縛り付けることもできる。
【００１９】
図５のように、金属棒１、２の下端を圧延加工して面積を拡げることもできる。この圧延加工による拡張部１２、２２は、徐々に厚みを薄くして、クサビ状に形成すると、地中への打ち込みが容易になる。
この拡張部１２、２２は、外側に末広がりに曲げて傾斜させてあるので、斜面１１、２１のように、地中からの抵抗力で金属棒１、２を湾曲させる作用をする。なお、（２）図のように、拡張部１２、２２の外形は、研磨したりして整形してある。
金属棒１、２からはみ出した領域は、金属棒１、２の抜け止めとして作用するので、アンカー作用がより強くなる。
本発明のように金属棒１、２に傾斜面を設けると、先端が尖って、地中に打ち込み易くなる。傾斜角度の設定や金属棒の長さは、地盤や用途に応じて自由に決められる。金属棒１、２の下端が湾曲し易いように、金属棒の湾曲する部位の断面形状を楕円状等に押し潰すこともできる。
アンカーの打ち込み力を要するが、金属棒１、２をさらに増やして、９０度おきに４本を用いると、上から見て十字状に湾曲させることも可能である。
【産業上の利用可能性】
【００２０】
以上のように複数の金属棒の中間を互いに平行な状態に一体化してあり、その下端は、末広がり方向に傾斜し、上端は連結手段になっているので、アンカーとして打ち込んだ際に、地盤の良し悪しを検知して良好な地盤のみに適用でき、またアンカー作用が確実で簡易なアンカーとして好適である。
従って、プレハブ小屋やビニールハウス、イベントのテント小屋、簡易トイレ、車庫等の固定に適しており、また本発明のアンカーを庭の片隅や花園の隅などに打込み、バイクや自転車等を鎖で連結すると、盗難防止となり安心である。
【符号の説明】
【００２１】
Ｒ  リング状部
１・２  金属棒
11・21  斜面
12・22  圧延加工による拡張部        
３  溶接などの一体化手段
Ｅ１  軟弱な地中
Ｅ２  硬い地中
４・５  爪板片
【図１】
2014201946.tif 000003
【図２】
2014201946.tif 000004
【図３】
2014201946.tif 000005
【図４】
2014201946.tif 000006
【図５】
2014201946.tif 000007